(57)【要約】      （修正有）【課題】何度開閉しても台紙ボード体が剥離することなく、またアルバム用台紙を全開状態で開くことができ、さらに多数の写真を貼付しても厚くならないアルバム用台紙を提供する。【解決手段】アルバム用台紙１４は台紙ボード体１８の第１台紙ボード片２０の第１面２０Ａと第２台紙ボード片２２の第１面２２Ａには接続シート体２４が接着されている。接続シート体２４の第１面部２４Ａは第１台紙ボード片２０の第１面２０Ａと、接続シート体２４の第２面部２４Ｂは第２台紙ボード片２２の第１面２２Ａと接着されている。なお、接続シート体２４の中央部２４Ｃは第１台紙ボード片２０、第２台紙ボード片２２と接着してない台紙ボード体折曲部２６とされている。前記台紙ボード体１８を帳合いして複数枚面接着することによりアルバム用台紙１４が形成される。【選択図】図１
0003149122.tif 000002
【実用新案登録請求の範囲】
【請求項１】
台紙ボード体を複数枚接着することにより成るアルバム用台紙であって、前記台紙ボード体を構成する第１台紙ボード片と、前記台紙ボード体を構成すると共に前記第１台紙ボード片と接続される第２台紙ボード片と、前記台紙ボード体を構成すると共に前記第１台紙ボード片の第１面に第１面部を接着し前記第２台紙ボード片の第１面に第２面部を接着することにより第１台紙ボード片と第２台紙ボード片を接続する接続シート体と、この接続シート体に形成されると共に前記第１台紙ボード片及び前記第２台紙ボード片と接着しない台紙ボード体折曲部と、を有してなることを特徴とするアルバム用台紙。
【請求項２】
台紙ボード体を複数枚接着することにより成るアルバム用台紙であって、前記台紙ボード体を構成する矩形状の第１台紙ボード片と、前記台紙ボード体を構成すると共に前記第１台紙ボード片と接続される矩形状の第２台紙ボード片と、前記台紙ボード体を構成すると共に前記第１台紙ボード片の第１面に第１面部を接着し前記第２台紙ボード片の第１面に第２面部を接着することにより前記第１台紙ボード片と前記第２台紙ボード片を接続する矩形状の接続シート体と、この接続シート体の中央部に形成されると共に前記第１台紙ボード片及び前記第２台紙ボード片と接着しない台紙ボード体折曲部と、を有してなることを特徴とするアルバム用台紙。
【考案の詳細な説明】
【技術分野】
【０００１】
本考案は、アルバムに使用されるアルバム用台紙に関する。
【背景技術】
【０００２】
写真を貼付するアルバムは、カバー体と、このカバー体の内側に配設されて写真を貼付する複数枚の台紙ボード体から成るアルバム用台紙と、から構成されている。
前記アルバム用台紙の台紙ボード体は矩形状の厚紙で形成され、複数枚の台紙ボード体を帳合い（台紙ボード体を複数枚重ね合わせた状態にすること）して、帳合いした台紙ボード体の綴側面に接着剤を塗布して複数枚の台紙ボード体をカバー体の表紙に接着してアルバムを形成している。
しかし、台紙ボード体とカバー体の接着は線状で接着する線接着であるため接着面積が小さく、アルバム用台紙を何度も開閉したり、あるいは接着剤の経年劣化等の原因によって帳合いされた台紙ボード体の接着部分が脆くなり台紙ボード体が剥離してしまうという不具合がある。
また、複数枚の台紙ボード体が帳合い状態で台紙ボード体の綴側面がカバー体の表紙と接着しているので、アルバム用台紙を開く場合に台紙ボード体の綴側面近傍部は隣の台紙ボード体の綴側面近傍部に規制されてしまう。このため、アルバム用台紙を開いた場合に隣合う台紙ボード体と台紙ボード体が直線状になるぐらいにアルバム用台紙を全開状態に開くことができず、台紙ボード体に貼付された写真が見難いという不具合がある。
さらに、複数枚の台紙ボード体が帳合い状態で台紙ボード体の綴側面がカバー体の表紙と接着しているので、台紙ボード体に写真を多数貼付すると写真の厚みを台紙ボード体が吸収することができずアルバム用台紙の小口側が厚くなってしまい、その結果アルバムの見栄えが低下してしまうという不具合がある。
【考案の開示】
【考案が解決しようとする課題】
【０００３】
本考案は、上記事実に鑑みなされたものでありアルバム用台紙を何度も開閉しても台紙ボード体が剥離することなく、またアルバム用台紙を全開状態に開くことができ、さらに多数の写真を貼付しても厚くならないアルバム用台紙を提供するものである。
【課題を解決するための手段】
【０００４】
請求項１の考案は、台紙ボード体を複数枚接着することにより成るアルバム用台紙であって、前記台紙ボード体を構成する第１台紙ボード片と、前記台紙ボード体を構成すると共に前記第１台紙ボード片と接続される第２台紙ボード片と、前記台紙ボード体を構成すると共に前記第１台紙ボード片の第１面に第１面部を接着し前記第２台紙ボード片の第１面に第２面部を接着することにより第１台紙ボード片と第２台紙ボード片を接続する接続シート体と、この接続シート体に形成されると共に前記第１台紙ボード片及び前記第２台紙ボード片と接着しない台紙ボード体折曲部と、を有してなることを特徴としている。
請求項２の考案は、台紙ボード体を複数枚接着することにより成るアルバム用台紙であって、前記台紙ボード体を構成する矩形状の第１台紙ボード片と、前記台紙ボード体を構成すると共に前記第１台紙ボード片と接続される矩形状の第２台紙ボード片と、前記台紙ボード体を構成すると共に前記第１台紙ボード片の第１面に第１面部を接着し前記第２台紙ボード片の第１面に第２面部を接着することにより前記第１台紙ボード片と前記第２台紙ボード片を接続する矩形状の接続シート体と、この接続シート体の中央部に形成されると共に前記第１台紙ボード片及び前記第２台紙ボード片と接着しない台紙ボード体折曲部と、を有してなることを特徴としている。
【考案の効果】
【０００５】
本考案は、アルバム用台紙を何度も開閉したり、経年しても台紙ボード体が剥離し難いという優れた効果を有する。
また、本考案は、台紙ボード体を開いた時に台紙ボード体を全開状態に開くことができるので貼付された写真が見易いという優れた効果を有する。
さらに、本考案は、多数の写真を貼付してもアルバム用台紙の小口側が厚くならず写真を多数貼付しても見栄えが低下することを防止できると共に見開きにわたる写真を貼付する間隔を少なくできるので見開きにわたって写真を貼付しても違和感を少なくすることができるという優れた効果を有する。
【考案を実施するための最良の形態】
【０００６】
考案を実施するために最良の形態の例として以下のような実施例を示す。
【実施例１】
【０００７】
図１〜図５には本考案に係るアルバム用台紙の一実施例が示されている。この実施例では写真を貼付するアルバムを例にして説明する。
図１及び図２に示されるように、アルバム１０はカバー体１２と、このカバー体１２の内側に配設されるアルバム用台紙１４とから構成されている。このアルバム用台紙１４に写真１６（図２参照）が貼付される。
前記カバー体１２は表表紙１２Ａ，裏表紙１２Ｂ，背表紙１２Ｃを備えている。また、前記アルバム用台紙１４は台紙ボード体１８を複数枚接着することにより形成されている。
図３に示されるように、前記台紙ボード体１８の第１台紙ボード片２０と第２台紙ボード片２２は同じ大きさの矩形状の厚紙で形成されている。また、第１台紙ボード片２０の第１面２０Ａと第２台紙ボード片２２の第１面２２Ａには強度の強い薄いシート状素材である寒冷紗で形成された接続シート体２４が全面にわたって接着されるようになっている。
図４に示されるように、この接続シート体２４の第１面部２４Ａは第１台紙ボード片２０の第１面２０Ａと、接続シート体２４の第２面部２４Ｂは第２台紙ボード片２２の第１面２２Ａと、それぞれ接着剤によって全面にわたって接着されている。これにより、前記第１台紙ボード片２０と第２台紙ボード片２２は接続シート体２４を介して接続され、これにより台紙ボード体１８が形成される。
なお、前記第１台紙ボード片２０と前記第２台紙ボード片２２の間には一定の間隔が設けられているので接続シート体２４の中央部２４Ｃは第１台紙ボード片２０、第２台紙ボード片２２と接着せず、これにより台紙ボード体１８の中央部２４Ｃは線状の台紙ボード体折曲部２６となっている。
従って、図５に示されるように前記台紙ボード体１８は台紙ボード体折曲部２６で容易に開閉することができるようになっている。
また、前記アルバム用台紙１４を形成する場合は、図５中央の台紙ボード体１８の第１台紙ボード片２０の第２面２０Ｂは図５左隣の台紙ボード体１８の第２台紙ボード片２２の第２面２２Ｂと接着剤によって全面接着されるようになっている。また、図５中央の台紙ボード体１８の第２台紙ボード片２２の第２面２２Ｂは図５右隣りの台紙ボード体１８の第１台紙ボード片２０の第２面２０Ｂと接着剤によって全面接着されるようになっている。
従って、アルバム用台紙１４の台紙ボード体１８は隣り合う台紙ボード体１８と広い面積で面接着されるため台紙ボード体１８同士の接続が強固となる。また、台紙ボード体１８の第１台紙ボード片２０と第２ボード片２２の接続も接続シート２４と広い面積で面接着されるので強固となる。
この結果、アルバム用台紙１４を何度も開閉したり、経年しても台紙ボード体１８の剥離を確実に防止できる。
そして、複数枚の台紙ボード体１８を帳合いして帳合いした台紙ボード体１８の綴側面近傍部を接着テープ２８（図５参照）で接着して前記アルバム用台紙１４を形成し、アルバム用台紙１４をカバー体１２の内側に配設し、前記アルバム用台紙１４と前記カバー体１２を接着することによりアルバム１０が完成する。
【０００８】
実施例のアルバム用台紙１４の作用について説明する。
アルバム１０のアルバム用台紙１４に貼付した写真１６を見るためにアルバム用台紙１４の台紙ボード体１８を何度も開閉したり、経年してもアルバム用台紙１４を構成する台紙ボード体１８の第１台紙ボード片２０は隣の台紙ボード体１８の第２台紙ボード片２２と接着剤によって全面接着され、台紙ボード体１８の第２台紙ボード片２２も隣りの台紙ボード体１８の第１台紙ボード片２０と接着剤によって全面接着されているので、前記台紙ボード体１８が剥離してしまうようなことはない。
この結果、アルバム１０の外観品質を維持したままでアルバム１０を長期間にわたって使用することができる。
また、前記台紙ボード体１８の第１台紙ボード片２０と第２台紙ボード片２２の間には一定の間隔が設けられ、しかも第１台紙ボード片２０と第２台紙ボード片２２は薄いシート状の接続シート体２４で接続されているので、アルバム用台紙１４を開くと図１に示すように第１台紙ボード片２０と第２台紙ボード片２２が略直線状になるように第１台紙ボード片２０と第２台紙ボード片２２を全開状態で開くことができるので貼付されている写真１６が見易い。しかも、台紙ボード体１８を捲るときもスムーズに台紙ボード体１８を捲ることができる。
さらに、多数の写真１６を貼付したアルバム用台紙１４を閉じても台紙ボード体１８の第１台紙ボード片２０と第２台紙ボード片２２の間には台紙ボード体折曲部２６が形成されているため写真１６の厚みを台紙ボード体折曲部２６が吸収することができアルバム用台紙１４の小口側が厚くならずアルバム１０の見栄えが低下することを防止できる。
また、台紙ボード体１８の第１台紙ボード片２０と第２台紙ボード片２２にわたってつなげるように写真１６を貼付する場合は写真１６と写真１６の間隔を少なくできるので写真１６の違和感を少なくすることができる。
【０００９】
なお、この実施例では写真１６を貼付するアルバム１０を例にしてアルバム用台紙１４を説明したが、アルバム用台紙１４は写真１６以外のものを貼付してもよいことは勿論である。
また、実施例のアルバム台紙１４の台紙ボード体１８は隣り合う台紙ボード体１８と面接着され、また、台紙ボード体１８の第１台紙ボード片２０と第２ボード片２２の接続も接続シート２４と面接着されるので、接着面積の小さい線接着の場合のように接着剤の品質に拘ったり、接着剤を塗布する条件を工夫したり必要がないので、作業効率を高めることができる共に経済的である。
なお、実施例では接続シート体２４として寒冷紗を使用したが、接続シート体２４は寒冷紗以外の素材を使用してもよいことは勿論である。
【図面の簡単な説明】
【００１０】
【図１】実施例のアルバム用台紙が使用されたアルバムを開いた状態の斜視図である。
【図２】実施例のアルバム用台紙が使用された写真が貼付されているアルバムを捲った状態の斜視図である。
【図３】実施例のアルバム用台紙の台紙ボード体の分解斜視図である。
【図４】実施例のアルバム用台紙の台紙ボード体の平面図である。
【図５】実施例のアルバム用台紙の台紙ボード体と接着テープの斜視図である。
【符号の説明】
【００１１】
１０    アルバム
１２    カバー体
１４    アルバム用台紙
１６    写真
１８    台紙ボード体
２０    第１台紙ボード片
２０Ａ  第１面
２０Ｂ  第２面
２２    第２台紙ボード片
２２Ａ  第１面
２２Ｂ  第２面
２４    接続シート体
２４Ａ  第１面部
２４Ｂ  第２面部
２４Ｃ  中央部
２６    台紙ボード体折曲部
２８    接着テープ
【図１】
0003149122.tif 000003
【図２】
0003149122.tif 000004
【図３】
0003149122.tif 000005
【図４】
0003149122.tif 000006
【図５】
0003149122.tif 000007